(57)【要約】【課題】電子温度計の提供。【解決手段】本発明の電子温度計は、温度計本体、温度センサーヘッド、機芯等からなり、前記機芯は温度ディスプレイ、電気接点を有するプリント回路板、及び、プリント回路板と相隣して設置される導電粒固定支柱を有し、前記導電粒固定支柱は撓性体で、その上に電気接点と相対する導電粒を固定し、導電粒固定支柱の一端は、機芯上に固定され、もう一端は自由端である。導電粒固定支柱の長さ方向上に、更に、接触し、作用力を加えるスイッチを設置し、スイッチは電子体温計の本体の後端部に位置し、押圧方向と温度計本体の長さ方向は一致するか、鋭角をなす。本発明が使用するスイッチ押圧方式は縦向けで、口腔等のでの量測に適し、特殊な場合の使用においても便利で、また、構造が簡単で、加工が容易、製造コストが低く、信頼度が高いという長所がある。【選択図】    図４
2007256253.tif 000002
【特許請求の範囲】
【請求項１】
電子温度計構造であって、温度計本体、前記本体前端の温度センサーヘッド、前記本体内の機芯、からなり、前記機芯は温度ディスプレイ、電気接点を有するプリント回路板、及び、前記プリント回路板と相隣して設置される導電粒固定支柱を有し、前記導電粒固定支柱は撓性体で、その上に、前記電気接点と相対する導電粒を固定し、その特徴は、前記導電粒固定支柱の一端が前記機芯上に固定され、もう一端は自由端で、前記導電粒固定支柱の長さ方向上に、接触及び作用力を施すスイッチを設置し、前記スイッチは、前記本体の後端部に位置し、押圧方向と温度計本体の長さ方向は基本的に一致するか、或いは、鋭角をなすことを特徴とする温度計構造。
【請求項２】
前記スイッチと前記導電粒固定支柱間の相隣する端面は斜面で、両端面は接触時に面接触を形成することを特徴とする請求項１に記載の温度計構造。
【請求項３】
前記スイッチと前記導電粒固定支柱間の相隣する一端面は斜面、或いは、曲面で、両相隣端は接触時に線接触を形成することを特徴とする請求項１に記載の温度計構造。
【請求項４】
前記スイッチと前記導電粒固定支柱間の相隣する一端面は斜面、或いは、曲面で、両相隣端は接触時に点接触を形成することを特徴とする請求項１に記載の温度計構造。
【請求項５】
前記温度計本体の後端部は、前記本体の中間部と分離できる蓋体で、前記スイッチは前記蓋体に位置し、前記蓋体の中軸線に沿うか、或いは、前記中軸線から偏離して設置されることを特徴とする請求項１、２、３、或いは、４に記載の温度計構造。
【請求項６】
前記スイッチは撓性スイッチであることを特徴とする請求項５に記載の温度計構造。
【請求項７】
前記電子温度計本体の後端部と中間部は一体成形の構造であることを特徴とする請求項１、２、３、或いは、４に記載の温度計構造。
【請求項８】
前記スイッチは剛性のスイッチ柱で、前記スイッチ柱は前記本体内の隔板の通孔を穿過し、前記導電粒固定支柱の自由端と相対し、互いに接触する位置に設置されることを特徴とする請求項７に記載の温度計構造。
【請求項９】
前記復位素子はばねであることを特徴とする請求項８に記載の温度計構造。
【請求項１０】
前記温度センサーヘッドと前記本体は一体構造で、前記温度センサーヘッドは彎曲できる柔性構造であることを特徴とする請求項１に記載の温度計構造。
【発明の詳細な説明】
【技術分野】
【０００１】
本発明は温度計構造に関し、詳細には、公知技術による不足を克服し、スイッチの押圧方式が縦方向で、口腔測量等の場合の習慣性にも符合し、特殊な場合に使用する際も便利で、且つ、構造が簡単、加工が容易、製造コストが低い、信頼度が高い、等の特徴を有する温度計構造に関する。
【背景技術】
【０００２】
一般の水銀温度計は、水銀の熱膨張原理により体温測量ができるものである。しかし、ガラスにより製造されるので、安全性に考慮し、使用上、注意が必要である。詳細には、水銀温度計を落としたり、衝撃を与えた際に断裂し、流出した水銀は危険なので、肛門での測量や口腔での測量を実行する使用者に傷害を与える恐れがある。また、長時間、数度に渡り、体温を測量する病人にとって、水銀温度計は、快適、且つ、即時に体温を測量する効果がなく、上述の要求に符合するような温度計が必要とされている。
【０００３】
近年、よく使用される電子温度計は体温測定が便利だが、防水功能は劣り、また、スイッチも横向きであるため、口腔による測量には不向きで、このようなある特殊な使用において不便である。特開昭６１−１９１９２８号の日本特許で、電子体温計のスイッチ構造が公開されている。その構造は以下のようである。先端に感温部を設けた細径延出部を一端に有する棒状の硬質樹脂製函体に電子回路素子および電池を納め、スイッチ部を有する電子体温計において、函体の一部が、硬質樹脂部と液密に一体成型された硬質樹脂製の変形部材を有し、変形部材を外方から押圧できる可動押圧部材を有する冠体を前記変形部材を覆うように設け、可動押圧部材の押圧により前記変形部材を変形して函体内のスイッチ機構を作動させるようにしたスイッチ部を有する。函体は、中空の函体本体と、この函体本体の開口端に液密に結合された封止部材と、この封止部材と一体成型された変形部材とを有する。可動押圧部材は本体と、本体周縁の変形部と変形部周縁の密着部を有しており、これらは軟質樹脂で一体的に形成されている。可動押圧部材の本体を押したとき、変形部が変形し、この変形に伴って、押圧部材が内方に移動して変形部材が変形し、接点の開閉が行われ、回路が導通し、電子体温計が使用できる。
【０００４】
上述の構造のスイッチは、電子体温計の尾端から縦向けに押すことができるが、スイッチ触発機構が採用するのは、金属弾性片の構造であり、その構造には多くの欠点が存在する。主に、１．スイッチ触発機構は少なくともプラスチック体と金属弾性片を有するので、一体成形ができず、別途に、金属弾性片に彎折加工を施し、金属弾性片とプラスチック体に付着加工を施す必要があり、構造と工程が複雑で、歩留まりが悪い。２．現在幅広く使用されている電子体温計において、内部構造には大きな差異が存在し、その改良コストが高く、業者の需要を満たさない。３．金属弾性片の構造は複数回の反復彎曲変形後、弾性が失効しやすく、スイッチが機能しなくなる恐れがあり、信頼度が低い。上述から、現有の技術には改善すべき点がある。
【発明の開示】
【発明が解決しようとする課題】
【０００５】
本発明は、特殊な場合にも使用でき、構造が簡単で、加工が容易、製造コストが低い、信頼度が高い、などの長所を有する電子体温計を提供することを目的とする。
【課題を解決するための手段】
【０００６】
本発明の電子体温計構造は、本体と、本体前端に位置する温度センサーヘッド、本体内に位置する機芯と、からなり、機芯は、温度ディスプレイ、電気接点を有するプリント回路板、及び、前記回路板と相隣して設置される導電粒固定支柱、を有し、導電粒固定支柱は撓性体で、その上に電気接点と相対する導電粒を固定し、導電粒固定支柱の一端は、機芯上に固定され、もう一端は自由端である。導電粒固定支柱の長さ方向上に、更に、接触し、作用力を加えるスイッチを設置し、スイッチは電子体温計の本体の後端部に位置し、押圧方向と温度計本体の長さ方向は一致するか、鋭角をなす。
【０００７】
前記スイッチと導電粒固定支柱間の相隣端の端面は、斜面、或いは、曲面で、両端面は接触時、面接触を形成する。二相隣端は、一端面上だけに斜面、或いは、曲面に設置してもよく、両相隣端は接触時、線接触、或いは、面接触を形成する。このように、縦方向のボタン作用力は横向けの分力を生成でき、撓性の導電粒固定支柱は横向けの撓性彎曲変形を生成し、その上の導電粒とプリント回路板上の電気接点接触を帯動する。
【０００８】
電子温度計本体の後端部は、本体中間部と分離できる蓋体で、スイッチは蓋体上に位置し、蓋体の中軸線に沿って、或いは、中軸線から偏離して設置される。スイッチは撓性スイッチである。
【０００９】
電子体温計本体の後端部は、中間部と一体成形ができ、スイッチは剛性のスイッチ柱である。スイッチ柱は温度計本体内の隔板の通孔を穿過し、導電粒固定支柱の自由端と相対し、相互接触の設置を形成する。スイッチ柱と隔板の間はばね等の復位素子を有する。
【００１０】
温度センサーヘッドと電子温度計本体は一体構造でもよく、温度センサーヘッドは彎曲できる柔性の構造で、病人や児童、老人の使用に適する。
【００１１】
本発明は、スイッチボタンと量測端の距離を増大することにより、液体中に浸漬する深さを増加し、スイッチの防水処理上に過多なコストを費やす必要がない。また、スイッチの押圧方式も縦向けに改造し、口腔等の量測に向き、特定状況の必要性を満たす。更に、スイッチの位置は端部に移るので、電子温度計の外観もなだらかになり、構造設計において、また、生産過程でも便利になる。
【発明の効果】
【００１２】
本発明の効果は以下のようである。（１）スイッチを押して撓性体を直接迫圧して彎曲変形を生成し、その上の導電粒とプリント回路板の接触点接触を帯動し、弾性失効が生じやすい金属弾性片を使用しないので、信頼度が高く、電子体温計の寿命も延長できる。（２）現有の電子体温計の内部構造に対し大きな変動を加えないので、上述の功能を達成する改良を施すのに、改良コストが低く、業者の需要を満たす。（３）彎折と付着の技術を避け、構造と加工が更に簡単で、製造コストを減少させ、生産効率が大幅に向上する。
【実施例１】
【００１３】
図１〜図５は、本発明の電子体温計の第一実施例を示す。その構造は、細長い探測部分を有する温度計本体１からなり、本体は通常、プラスチックよりなる中空体であり、細長い探測部分の前端は温度を感知する温度センサーヘッド２を設置し、通常は、導熱性のよい材料（金属）からなる。本体１の後端部は本体の中間部分と分離できる蓋体３で、蓋体上にスイッチ４を有する。本体１内には、温度センサーヘッド２で量測された温度を表示するディスプレイ５１（通常は、LCDディスプレイ）、プリント回路板５２、及び、その上の電気接点５３を有する機芯５、を有する。温度計本体１表面に、それぞれ、ノッチ６と孔を有し、ノッチ６周囲の温度計本体１表面に凹槽７を有し、透明窓８が（超音波結合方式などにより）凹槽７上に貼合され、ノッチ６を覆蓋し、透明窓８により、板に設置された温度ディスプレイ５１を見ることができる。本体１前端の温度センサーヘッド２内に、公知の方式で、温度センサー９、及び、感応線１０を設置し、感応線１０の両端は、それぞれ、温度センサー９と機芯５のプリント回路板５２に連接される。
【００１４】
本体１の後部は開口端１１を有し、機芯５は開口端１１を通過して、本体１内に挿入され、蓋体３により開口端１１を封閉する。機芯５は、機芯ベース１２、ベース１２上に固定された温度ディスプレイ５１、プリント回路板５２、導電粒１３、及び、導電粒固定支柱１４等からなり、導電粒１３はプリント回路板５２で電池と導通させるのに用いられ、温度量測のプログラムを起動させる。導電粒固定支柱１５は撓性体で、操作者は蓋体３上のスイッチ４により、導電粒固定支柱１４に間接的に押圧操作を施し、導電粒固定支柱１４はスイッチ４の作用下で、撓性彎曲を生じ、その上の導電粒１３をプリント回路板の方向に移動するように帯動し、プリント回路板５２上の電気接点５３と電気接触を生成し、プリント回路板５２と電池を導通させる。
【００１５】
蓋体３上のスイッチ４は撓性体のスイッチで、導電粒固定支柱１４の温度計の長さ方向に沿った一側に位置する。導電粒固定支柱１４も同様に撓性体で、スイッチ４との間で斜面相対設置され、相互接触を形成するように設置される。これにより、スイッチ４が押圧操作時、導電粒固定支柱１４に対し軸向きの力、或いは、軸向きの分力を生成し、スイッチ４と導電粒固定支柱１４は斜面により抵圧し、両側に向けて位置異常を生じ、導電粒固定支柱１４は、プリント回路板５２の方向に撓性彎曲変形を生じ、同時に、導電粒１３をプリント回路板５２の方向に移動させ、導電粒１３とプリント回路板５２上の電気接点５３を接触させる。
【実施例２】
【００１６】
図６〜図１０は、本発明の第二実施例を示す図である。本実施例が第一実施例と異なるのは、本実施例中、スイッチは蓋体の頂端位置に位置し、つまり、温度計全体の中軸線上に位置することである。温度計本体内部の導電粒固定支柱も相対して、温度計中の軸線に接近して位置し、スイッチと相対する。同様に、それらの間は、斜面により相対して設置され、互いに接触して設置される。その他の構造、及び、作業方式は、第一実施例と基本的に相同である。
【実施例３】
【００１７】
図１１〜図１６は、本発明の第三実施例を示す図である。本実施例の温度計本体の中間部と後端部は一体成形の構造で、つまり、上述の両実施例中での分離できる蓋体がなく、温度計本体末端に、剛性のボタン柱１５を設置し、ボタン柱１５は温度計本体内の隔板１６の通孔を穿過し、導電粒固定支柱１４は相互接触を形成するよう設置される。ボタン中１５と隔板１６の間は復位素子１７を設け、ボタン柱１５が押圧操作後、手を緩めると、押す前の位置に回復する。
【００１８】
上述の三種の実施例中、温度計本体とその前端部の温度センサーヘッドは一体成形にもでき、両者の間には継ぎ目がなく、温度センサーは温度センサーヘッドの内部に隠蔵し、プラスチック材料により、温度計の本体と一体成形ができる。温度センサーヘッドは柔性構造で、彎曲でき、病人や児童の使用に便利である。
【００１９】
本発明は上述の実施例に制限されず、その形状、或いは、構造上の変化は、スイッチが電子体温計本体の後端部に設置され、押圧方向が温度計本体の長さ方向と基本的に一致するか鋭角をなすのであれば、本発明の保護範囲内である。スイッチと導電粒固定支柱の間の相隣する端面形状は、上述の実施例中、斜面である以外に、両端面が曲面でもよく、また、一つの端面上が斜面、或いは、曲面に設置され、もう一端面が平面、或いは、その他の形状に設置されてもよく、該面が角部により、斜面と線接触を形成する。この他、一つの端面が斜面、或いは、曲面に設置され、もう一端が錘状で、点接触を形成する。以上の変化は、どれも、導電粒固定支柱がスイッチの作用下で撓性彎曲を生じ、その上に固定された導電粒をプリント回路板の方向に移動させ、プリント回路板上の電気接点と電気接触を生じさせる目的を達成する。
【図面の簡単な説明】
【００２０】
【図１】本発明の第一実施例の分解構造図である。
【図２】本発明の第一実施例の正面外観図である。
【図３】本発明の第一実施例の側面外観図である。
【図４】図２のAA断面図である。
【図５】図４の局部拡大図である。
【図６】本発明の第二実施例の分解構造図である。
【図７】本発明の第二実施例の正面外観図である。
【図８】本発明の第二実施例の側面外観図である。
【図９】図７のBB断面図である。
【図１０】図９の局部拡大図である。
【図１１】本発明の第三実施例の分解構造図である。
【図１２】本発明の第三実施例の正面外観図である。
【図１３】本発明の第三実施例の側面外観図である。
【図１４】本発明の第三実施例の背面外観図である。
【図１５】図１２のCC断面図である。
【図１６】図１５の局部拡大図である。
【符号の説明】
【００２１】
１        温度計本体
１０      感応線
１１      開口端
１２      機芯ベース体
１３      導電粒
１４      導電粒固定支柱
１５      ボタン柱
１６      隔板
１７      復位素子
２        温度センサーヘッド
３        蓋体
４        スイッチ
５        機芯
５１      温度ディスプレイ
５２      プリント回路板
５３      電気接点
６        ノッチ
７        凹槽
８        透明窓
９        温度センサー
【図１】
2007256253.tif 000003
【図２】
2007256253.tif 000004
【図３】
2007256253.tif 000005
【図４】
2007256253.tif 000006
【図５】
2007256253.tif 000007
【図６】
2007256253.tif 000008
【図７】
2007256253.tif 000009
【図８】
2007256253.tif 000010
【図９】
2007256253.tif 000011
【図１０】
2007256253.tif 000012
【図１１】
2007256253.tif 000013
【図１２】
2007256253.tif 000014
【図１３】
2007256253.tif 000015
【図１４】
2007256253.tif 000016
【図１５】
2007256253.tif 000017
【図１６】
2007256253.tif 000018